(57)【要約】【課題】起動時の更なる電力消費量の低減を達成する。【解決手段】それぞれが所定の処理を行なう複数の処理手段と、主電源がＯＮされると、前記複数の処理手段に対して電源を供給することで、当該複数の処理手段を起動させる供給手段を有し、前記複数の処理手段全てが起動完了すると、起動完了する電子機器であって、前記複数の処理手段それぞれの起動完了する時刻が全て同時になるように、前記複数の処理手段に対する前記電源の供給開始時刻を調整する供給制御手段を有することを特徴とする電子機器。【選択図】図４
2013061719.tif 000002
【特許請求の範囲】
【請求項１】
それぞれが所定の処理を行なう複数の処理手段と、
主電源がＯＮされると、前記複数の処理手段に対して電源を供給することで、当該複数の処理手段を起動させる供給手段を有し、前記複数の処理手段全てが起動完了すると、起動完了する電子機器であって、
前記複数の処理手段それぞれの起動完了する時刻が全て同時になるように、前記複数の処理手段に対する前記電源の供給開始時刻を調整する供給制御手段を有することを特徴とする電子機器。
【請求項２】
前記供給制御手段は、
前記複数の処理手段のうち、起動時間が最も長い処理手段への前記電源の供給開始時刻を、前記主電源がＯＮされた時刻とし、
前記複数の処理手段のうち、前記起動時間が最も長い処理手段とは別の１以上の処理手段への前記電源の供給開始時刻を、前記主電源がＯＮされた時刻から、当該別の１以上の処理手段それぞれの起動時間を差し引いた差分時間の経過後の時刻とすることを特徴とする請求項１記載の電子機器。
【請求項３】
前記１以上の差分時間は予め求められるものであり、当該求められた前記１以上の差分時間が記憶されている記憶手段を有し、
前記供給制御手段は、
複数の処理手段のうち、前記別の１以上の処理手段への前記電源の供給開始時刻を、前記主電源がＯＮされた時刻から、前記記憶手段に記憶されている前記１以上の差分時間の経過後の時刻とすることを特徴とする請求項２記載の電子機器。
【請求項４】
前記１以上の差分時間を測定し、前記記憶手段に記憶されている前記１以上の差分時間を当該測定された前記１以上の差分時間に更新する測定手段を有することを特徴とする請求項３記載の電子機器。
【発明の詳細な説明】
【技術分野】
【０００１】
本発明は、電子機器に関する。
【背景技術】
【０００２】
従来から、周辺機や、内部に設けられた処理手段を用いて、所定の処理を行なう電子機器が提案されている。また、当該電子機器において、電力消費量を低減させる技術が様々、提案されている。例えば、特許文献１では、当該電子機器の起動時の電力消費量を低減させる目的で、周辺機や処理手段の起動開始時刻をずらす技術が開示されている。
【発明の概要】
【発明が解決しようとする課題】
【０００３】
図１に、特許文献１記載の電子機器の処理手段や周辺機についての電源供給開始時刻や、起動開始時刻について示す。図１の例では、電子機器は、処理手段として、エンジン制御手段、書込手段、読取手段、定着手段、コントローラ制御手段を有し、周辺機としては第１周辺機や第２周辺機を有する。また、図１の例では、ハッチングを付加しているバーが、起動処理時の消費電力を示し、ドットを付加しているバーが、待機時消費電力を示している。「起動処理時の消費電力」とは、「起動処理開始時」から「起動処理終了時」までに消費される電力である。また、「待機時消費電力」とは、１つの処理手段が、起動完了してから、電子機器全体（全ての処理手段や周辺機）が起動完了するまでに待機するのに消費される電力である。
【０００４】
図１の例では、ドット付加しているバーに示すように、処理手段や周辺機の全てが起動完了するまで、エンジン制御手段や、第１周辺機などは待機する必要がある。そして、エンジン制御手段や第１周辺機が待機している間にも待機時消費電力が消費されている。
【０００５】
本発明では、起動時の更なる電力消費量の低減を達成する電子機器を提供する。
【課題を解決するための手段】
【０００６】
本発明では、それぞれが所定の処理を行なう複数の処理手段と、主電源がＯＮされると、前記複数の処理手段に対して電源を供給することで、当該複数の処理手段を起動させる供給手段を有し、前記複数の処理手段全てが起動完了すると、起動完了する電子機器であって、前記複数の処理手段それぞれの起動完了する時刻が全て同時になるように、前記複数の処理手段に対する前記電源の供給開始時刻を調整する供給制御手段を有することを特徴とする電子機器を提供する。
【発明の効果】
【０００７】
本発明の電子機器であれば、起動時の更なる電力消費量の低減を達成する。
【図面の簡単な説明】
【０００８】
【図１】従来技術の電子機器の消費電力などを示した図。
【図２】本実施例の画像形成装置の機能構成例を示す図。
【図３】本実施例の制御手段の機能構成例などを示す図。
【図４】本実施例の電子機器の電源供給開始時刻などを示した図。
【図５】本実施例の差分時間などを示した図。
【図６】本実施例の起動時間の記憶形態の一例を示した図。
【図７】本実施例の電子機器の処理フローの一例を示した図。
【図８】本実施例の効果を説明するための図。
【図９】別の実施形態の制御手段の機能構成例などを示す図。
【図１０】電源制御回路の機能構成例などを示した図。
【発明を実施するための形態】
【０００９】
＜実施形態１＞
本実施例では、電子機器とは、電源が供給されることで起動し、所定の処理を行なうものである。以下では、電子機器を画像形成装置であるとして説明する。画像形成装置とは例えば、プリンタ、ファクシミリ、複写装置、プロッタ、これらの複合機などである。また、以下の説明では、各実施形態において、機能構成例、処理フロー、の説明では、同じ処理については、同じ参照番号、同じステップ番号を付加し、重複説明を省略する。
［ハードウェア構成］
図２に、本実施例の画像形成装置１００のハードウェア構成を示す。図２に示すようには、本実施例の画像形成装置１００は、コントローラ制御手段１０５、エンジン制御手段１８０、操作手段２２０、第１周辺機２０２、第２周辺機２０４、書込手段２０６、読取手段２０８、定着手段２１０、などを含む。
【００１０】
制御手段１１０は、コンピュータの中で、各装置の制御やデータの演算、加工を行う。また、制御手段１１０は、ＲＡＭ１２０に記憶されたプログラムを実行する演算装置であり、外部からデータを受け取り、演算、加工した上で、当該データを出力する。
【００１１】
ＲＡＭ１２０には、制御手段１１０が実行する基本ソフトウェアであるＯＳやアプリケーションソフトウェアなどのプログラムやデータを記憶又は一時保存される。また、ＲＯＭ（Ｒｅａｄ  Ｏｎｌｙ  Ｍｅｍｏｒｙ）１３０については後述する。また、ＲＡＭ１２０、ＲＯＭ１３０をそれぞれ第１記憶手段１２０、第２記憶手段１３０としてもよい。
【００１２】
外部記憶装置Ｉ／Ｆ手段１４０は、ＵＳＢ（Ｕｎｉｖｅｒｓａｌ  Ｓｅｒｉａｌ  Ｂｕｓ）などのデータ伝送路を介して接続された記憶媒体１５０（例えば、フラッシュメモリなど）と画像形成装置１００とのインタフェースである。
【００１３】
また、記憶媒体１５０に、所定のプログラムを格納し、この記憶媒体１５０に格納されたプログラムは外部記憶装置Ｉ／Ｆ手段１４０を介して画像形成装置１００にインストールされ、インストールされた所定のプログラムは画像形成装置１００により実行可能となる。
【００１４】
エンジンＩ／Ｆ手段１６０は、エンジン制御手段１８０とコントローラ制御手段１０５とのインタフェースである。また、ユーザＩ／Ｆ手段１７０は、操作手段２２０とコントローラ制御手段１０５とのインタフェースである。ユーザにより操作手段２２０から操作された操作内容は、コントローラ制御手段１０５に入力される。
【００１５】
また、画像形成装置１００は、内部に内部処理手段と、後付機としての周辺機を有する。内部処理手段とは、画像形成装置１００の内部に設けられたものであり、図２の例では、内部処理手段は、コントローラ制御手段１０５、エンジン制御手段１８０、書込手段２０６、読取手段２０８、定着手段２１０である。また、周辺機は、画像形成装置１００の周辺に設けられたものであり、図２の例では、第１周辺機２０２、第２周辺機２０４である。第１周辺機２０２、第２周辺機２０４とは例えば、フィニッシャーや、ＡＤＦ（ａｕｔｏ  ｄｏｃｕｍｅｎｔ  ｆｅｅｄｅｒ）や、排紙トレイなどである。本実施例では、コントローラ制御手段１０５、エンジン制御手段１８０、第１周辺機２０２、第２周辺機２０４、書込手段２０６、読取手段２０８、定着手段２１０をまとめて、処理手段２００とする。処理手段２００それぞれは、所定の処理を行なうものである。
【００１６】
エンジン制御手段１８０は、制御手段１１０の指示の元、第１周辺機２０２、第２周辺機２０４、書込手段２０６、読取手段２０８、定着手段２１０を動作させる。例えば、ユーザが読取対象の原稿をセットして、操作手段２２０から読み取る旨の操作をすると、読取手段２０８は、原稿を光学的に読み取ることで、画像データを生成する。当該画像データは、制御手段１１０に送信される。そして、制御手段１１０が、回転、拡大、縮小など、ユーザにより設定された処理を画像データに対して施す。そして、書込手段２０６が感光体ドラムに対して、潜像を書込み、定着手段２１０が当該潜像を用紙に対して定着させる。また、第１周辺機２０２や、第２周辺機２０４などにより、所定の処理が行なわれる。
【００１７】
図３に、本実施例の画像形成装置１００の電源供給についてのブロック図を示す。図３の例の画像形成装置１００には、主電源３０１と、供給手段３０２と、制御手段１１０と、エンジン制御手段１８０と、第１周辺機２０２、第２周辺機２０４、書込手段２０６、読取手段２０８、定着手段２１０とが含まれている。図３中の細線の矢印は制御信号を示し、太線の矢印は供給される電源の流れを示す。
【００１８】
また、エンジン制御手段１８０中の電源制御回路１８０２は、処理手段２００の一部（この例では、第１周辺機２０２、第２周辺機２０４、書込手段２０６、読取手段２０８、定着手段２１０）に対して、供給手段３０２からの電源を供給する。そして、電源制御回路１８０２による各処理手段２００への電源供給の開始時刻（開始タイミング）は、供給制御手段１１０２により制御される。供給制御手段１１０２の制御手法、カウンタ１１０４、算出手段１１０６の処理内容については、後述する。また、全ての処理手段２００それぞれは電源が供給開始されることで起動開始し、全ての処理手段２００が起動完了した時に、画像形成装置１００自身は起動完了する。
［電源供給制御について］
次に、本実施例の電源供給制御について説明する。図４に、各処理手段２００の電源供給開始タイミングについて示す。また、本実施例の画像形成装置では、図４に示すように、それぞれの処理手段２００への電源供給開始と、当該処理手段の起動開始とを同時に行なう。また、それぞれの処理手段２００は、電源が一定量供給されることで起動完了する。本実施例では、図４に示すように、供給制御手段１１０２（図３参照）は、複数の処理手段２００それぞれの起動完了する時刻が同時になるように、複数の処理手段２００に対する電源の供給開始時刻を調整する。
【００１９】
また、図５に各処理手段２００についての起動時間について示す。起動時間とは、電源供給開始時刻（起動開始時刻）から、起動完了時刻までに要する時間であり、例えば、画像形成装置１００の製造時に予め測定され定められるものである。図５のハッチングを付しているバーは、起動時間内での（起動処理）の消費電力を示している。本実施例では、管理者などが、各処理手段２００の起動時間を予め測定しておき、本実施例のＲＡＭ１２０（図２参照）に、全ての処理手段２００の起動時間が記憶させておく。上述のように、本実施例の各処理手段は、電源が供給されると同時に、起動開始する。
【００２０】
図５の例では、エンジン制御手段１８０、第１周辺機２０２、第２周辺機２０４、書込手段２０６、読取手段２０８、定着手段２１０、コントローラ制御手段１０５それぞれの起動時間は、ｔ１、ｔ２、ｔ３、ｔ４、ｔ５、ｔ６、ｔｃとする。当該起動時間は、例えは、図６記載のような形式で、ＲＯＭ１３０に記憶されている。
【００２１】
そして、算出手段１１０６は、ＲＯＭ１３０に記憶されている、各処理手段２００の起動時間をＲＡＭ１２０に展開する。そして、算出手段１１０６は、各処理手段２００の起動開始時刻を算出して、ＲＡＭ１２０に展開する。ここで、複数の処理手段２００のうち、起動時間が最も長い処理手段を「第１処理手段３１０」とし、第１処理手段とは他の処理手段を「第２処理手段３２０」とする。図５、図６の例では、第１処理手段３１０とは、コントローラ制御手段１０５であり、第２処理手段３２０とは、エンジン制御手段１８０、第１周辺機２０２、第２周辺機２０４、書込手段２０６、読取手段２０８、定着手段２１０である。
【００２２】
図５に示すように、第１処理手段３１０の電源供給開始時刻は、主電源ＯＮ時刻Ｔ１とされる。主電源ＯＮ時刻Ｔ１とは、ユーザにより画像形成装置１００の主電源がＯＮされた時刻である。また、第２処理手段３２０の電源供給開始時刻は、主電源ＯＮ時刻Ｔ１から、第１処理手段３１０の起動時間ｔｃから第２処理手段３２０の起動時間ｔ１〜ｔ５を差し引いた時間の経過後の時刻であるとする。
【００２３】
図５の例では、エンジン制御手段１８０、第１周辺機２０２、第２周辺機２０４、書込手段２０６、読取手段２０８、定着手段２１０（第２処理手段３２０）の電源供給開始時刻をそれぞれＴｘ１、Ｔｘ２、Ｔｘ３、Ｔｘ４、Ｔｘ５、Ｔｘ６とする。また、コントローラ制御手段１０５（第１処理手段３１０）の電源供給開始時刻をＴｘ７とする。Ｔｘ１、〜Ｔｘ７は以下の式により定められる。
電源供給開始時刻Ｔｘ１＝主電源ＯＮ時刻Ｔ１から、差分時間ｔｄ１経過後の時刻
差分時間ｔｄ１＝ｔｃ−ｔ１
電源供給開始時刻Ｔｘ２＝主電源ＯＮ時刻Ｔ１から、差分時間ｔｄ２経過後の時刻
差分時間ｔｄ２＝ｔｃ−ｔ２
電源供給開始時刻Ｔｘ３＝主電源ＯＮ時刻Ｔ１から、差分時間ｔｄ３経過後の時刻
差分時間ｔｄ３＝ｔｃ−ｔ３
電源供給開始時刻Ｔｘ４＝主電源ＯＮ時刻Ｔ１から、差分時間ｔｄ４経過後の時刻
差分時間ｔｄ４＝ｔｃ−ｔ４
電源供給開始時刻Ｔｘ５＝主電源ＯＮ時刻Ｔ１から、差分時間ｔｄ５経過後の時刻
差分時間ｔｄ５＝ｔｃ−ｔ５
電源供給開始時刻Ｔｘ６＝主電源ＯＮ時刻Ｔ１から、差分時間ｔｄ６経過後の時刻
差分時間ｔｄ６＝ｔｃ−ｔ６
電源供給開始時刻Ｔｘ７＝主電源ＯＮ時刻Ｔ１
となる。これらの式をまとめて式（１）とする。
【００２４】
算出手段１１０６は上記式（１）を演算することで、電源開始時刻Ｔｘ１〜Ｔｘ７を求めると、当該電源開始時刻Ｔｘ１〜Ｔｘ７をＲＡＭ１２０に展開する。そして、供給制御手段１１０２は、それぞれの電源開始時刻に到達すると、電源制御回路１８０２にそれぞれの処理手段２００に対して電源供給を開始する。時刻（時間）の計測は、カウンタ１１０４が行なう。
【００２５】
つまり、供給制御手段１１０２は、電源開始時刻Ｔｘ１になると、エンジン制御手段１８０への電源供給を開始する。供給制御手段１１０２は、電源開始時刻Ｔｘ２になると、第１周辺機２０２への電源供給を開始する。供給制御手段１１０２は、電源開始時刻Ｔｘ３になると、第２周辺機２０４への電源供給を開始する。供給制御手段１１０２は、電源開始時刻Ｔｘ４になると、書込手段２０６への電源供給を開始する。供給制御手段１１０２は、電源開始時刻Ｔｘ５になると、読取手段２０８への電源供給を開始する。供給制御手段１１０２は、電源開始時刻Ｔｘ６になると、定着手段２１０への電源供給を開始する。供給制御手段１１０２は、電源開始時刻Ｔｘ７（つまり、主電源がＯＮとされたと同時）になると、コントローラ制御手段１０５への電源供給を開始する。
【００２６】
このような電源供給を行なうと、全ての処理手段２００が同時に（起動完了時刻Ｔ２に）起動完了する。そして、全ての処理手段２００の起動が完了すると（起動完了時刻Ｔ２に至ると）と共に、画像形成装置１００の起動が完了する。つまり、全ての処理手段２００の起動完了時刻Ｔ２が、画像形成装置１００の起動完了時刻Ｔ２となる。図５のように、供給制御手段１１０２が、電源供給開始時刻の調整を行なうことで、各処理手段２００の起動完了時刻を同時にすることが出来る。
【００２７】
また、上記では、カウンタ１１０４は時間を計測すると説明したが、カウンタ１１０４は、短時間ごと（例えば、０．１秒ごとに）カウントしていくようしてもよい。図７にカウンタ１１０４がカウントする場合の処理フローを示す。また、本実施例において、カウンタ１１０４が時間を計測する処理には、カウンタ１１０４がカウントする処理が含まれているとする。また、図７の処理フローは、カウンタ１１０４が時間を計測する場合でも適用することが出来る。
【００２８】
まず、主電源がＯＮされると（ステップＳ２のＹｅｓ）、当該主電源がＯＮされたと同時に、供給手段３０２（図３参照）は最初にコントローラ制御手段１０５に電力を供給する。上述のように、コントローラ制御手段１０５は、起動時間が最も長い第１処理手段３１０だからである。電力が供給されたコントローラ制御手段１０５内のカウンタ１１０４は、当該コントローラ制御手段１０５内のカウント開始する（ステップＳ６）。
【００２９】
次に、算出手段１１０６は、それぞれの処理手段２００の起動カウント値を読み出す。起動カウント値とは、図５記載の各処理手段２００それぞれの起動時間ｔ１、ｔ２、ｔ３、ｔ４、ｔ５、ｔ６、ｔｃに対応するものである。そして、算出手段１１０６は、電源供給開始カウント値を算出する（ステップＳ１０）。当該電源供給開始カウント値は、図５記載の差分時間ｔｄ１、ｔｄ２、ｔｄ３、ｔｄ４、ｔｄ５、ｔｄ６に対応するものである。そして、供給制御手段１１０２は、以下の式（２）が成立するか否かを判断する（ステップＳ１２）。
カウンタ１１０４がカウントしたカウント値＞電源供給開始カウント値    （２）
式（２）が成立するということは、現在の時刻が、処理手段２００それぞれの電源供給開始時刻Ｔｘ１、Ｔｘ２、Ｔｘ３、Ｔｘ４、Ｔｘ５、Ｔｘ６に到達したということである。供給制御手段１１０２は、式（２）の不等式が成立した処理手段２００に対して（ステップＳ１２のＹｅｓ）、電源制御回路１８０２に電源供給を開始させる。図５の例では、定着手段２１０、エンジン制御手段１８０・・・の順番で、電源供給を開始させる。また、各処理手段２００は、電源が供給されると同時に、起動を開始する（ステップＳ１４）。そして、全ての処理手段２００の起動が完了すると、画像形成装置１００全体の起動が完了する（ステップＳ１６）。このように、カウンタ１１０４がカウントする構成であっても、全ての処理手段についての起動完了時刻を同時にすることが出来る。
【００３０】
また、上記の説明では、画像形成装置１００を起動させている最中に、差分時間ｔｄ１、〜ｔｄ６（図７の例では、ステップＳ１０の電源供給開始カウント値）を算出した。第１処理手段３１０の起動時間ｔｃと、第２処理手段３２０の起動時間ｔ１〜ｔ６、ｔｃは予め測定されているものであるから、他の実施形態として、差分時間ｔｄ１〜ｔｄ６を予め測定しておき、ＲＡＭ１２０（記憶手段）に記憶させることも出来る。そして、供給制御手段１１０２は、記憶された差分時間ｔｄ１〜ｔｄ６を用いて、Ｔｘ１〜Ｔｘ７を定めるようにしてもよい。このようにすることで、差分時間ｔｄ１〜ｔｄ６の算出コストを削減することが出来る。
【００３１】
また、上記の説明では、式（１）などを用いて、全ての処理手段の起動完了時刻を同一にすることを説明したが、他の手法を用いて全ての処理手段の起動完了時刻を同一にするようにしてもよい。
【００３２】
本実施形態１の画像形成装置１００であれば、従来と比較して、画像形成装置１００の起動時の消費電力量を低減させることが出来る。従来と比較して低減される消費電力量を図８に模式的に示す。図８は、図１のドットが付されたバーを白色にしたものである。当該白色のバーが従来と比較して、低減された消費電力量である。つまり、起動完了時刻Ｔ２（全ての処理手段２００の起動が完了するまでの時刻）まで、起動完了した処理手段２００が待機する間に消費される待機消費電力量が、低減された消費電力量となる。
【００３３】
また、本実施例の画像形成装置１００では、電力供給と各処理手段２００への起動開始とを同一にする。従って、各処理手段２００へ起動開始信号を送信する必要はないので、起動開始信号の送信コストを削減することが出来る。
［実施形態２］
次に、実施形態２の画像形成装置について説明する。この実施形態２は、ＲＡＭ１２０に予め差分時間を記憶させておく場合の形態である。図９に、実施形態２のコントローラ制御手段１０５−２の機能構成例について示す。図９記載のコントローラ制御手段１０５−２は、図３記載のコントローラ制御手段１０５と比較して、測定手段１１０８が設けられている点で異なる。実施形態１の画像形成装置では、起動時間は予め定められているとして説明した。
【００３４】
ところで、画像形成装置の使用が進むにつれて、老朽化などの原因により、複数の処理手段２００それぞれの起動時間が変化する場合がある。そこで、実施形態２では、測定手段１１０８が複数の処理手段２００それぞれの起動時間のうち、少なくとも１つの起動時間を測定する。好ましくは、測定手段１１０８は、複数の処理手段２００全ての起動時間を測定する。測定手段１１０８は、主電源がＯＮされて、起動完了したした場合に（図４、図５など参照）、少なくとも１つの起動時間の測定タイミングを測定するようにすればよい。以下では、測定手段１１０８は、複数の複数の処理手段２００全ての起動時間ｔ１〜ｔ６、ｔｃ（図５参照）を測定するものとする。
【００３５】
そして、測定手段１１０８は、上記式（１）中の差分時間の式を演算することで、差分時間ｔｄ１〜ｔｄ６を求める。そして、測定手段１１０８は、ＲＡＭ１２０に既に記憶されていた差分時間ｔｄ１〜ｔｄ６を、新たに測定手段１１０８により求められた差分時間ｔｄ１〜ｔｄ６に更新する。
【００３６】
そして、再び、ユーザが画像形成装置１００を使用するために主電源３０１がＯＮされたとする。当該主電源３０１がＯＮされると、図７の処理フローが実行される。実施形態２の供給制御回路１１０２は、更新された差分時間を用いて、電源の供給開始時刻を定める。
【００３７】
また、測定手段１１０８は、主電源３０１がＯＮされる度に、起動時間、差分時間の測定を行なうようにしてもよく、所定回数、主電源３０１がＯＮされる毎に（例えば、３回、主電源３０１がＯＮされる毎に）、起動時間、差分時間の測定を行なうようにしてもよい。この際に、ＲＡＭ１２０に記憶されていた、測定手段１１０８により測定された少なくとも１つの起動時間は更新される。
【００３８】
つまり、今回の主電源のＯＮがＮ回目であるとした場合に、Ｎ−１回目、または、Ｎ−２回目以前に主電源がＯＮされた際に、測定手段１１０８により測定された起動時間を用いて、電源の供給開始時刻を定める。
【００３９】
この実施形態２の画像形成装置によれば、測定手段１１０６により測定された起動時間、差分時間を用いて、処理手段２００への電源の供給開始時刻を定める。従って、画像形成装置の老朽化などにより、複数の処理手段の起動時間が変化したとしても、当該変化した起動時間を反映させた電源の供給開始時刻を定めることが出来る。
［実施形態３］
次に、実施形態３の画像形成装置について説明する。実施形態３では、電源制御回路１８０２の詳細を説明する。図１０の例では、電源制御回路１８０２は、４個のＮ−Ｃｈ：ＭＯＳＦＥＴ（Ｍｅｔａｌ  Ｏｘｉｄｅ  Ｓｅｍｉｃｏｎｄｕｃｔｏｒ  Ｆｉｅｌｄ  ｅｆｆｅｃｔ  ｔｒａｎｓｉｓｔｏｒ）１９０２と、４個のＰ−ｃｈ：ＭＯＳＦＥＴ１９０４と、リレー手段１９０６とを含む。
【００４０】
第１周辺機２０２、第２周辺機２０４、書込手段２０６、読取手段２０８は、ＤＣ電源で駆動するとする。ＤＣ電源で駆動する処理手段については、Ｎ−Ｃｈ：ＭＯＳＦＥＴ１９０２とＰ−ｃｈ：ＭＯＳＦＥＴ１９０４とで駆動制御する。Ｎ−Ｃｈ：ＭＯＳＦＥＴ１９０２は、ＮＰＮトランジスタに代替しても同様の処理を行なうことができる。また、Ｐ−ｃｈ：ＭＯＳＦＥＴ１９０４は、ＰＮＰトランジスタに代替しても同様の処理を行なうことができる。また、定着手段２１０は、ＡＣ電源で駆動する。ＡＣ電源で駆動する処理手段については、リレー手段１９０６で駆動制御する。
【００４１】
また、供給制御手段１１０２は、電源制御回路１８０２に対して、制御信号としてハイレベル信号を送信すると、当該電源制御回路１８０２は、電源供給を開始する。また、供給制御手段１１０２は、電源制御回路１８０２に対して、制御信号としてローレベル信号を送信すると、当該電源制御回路１８０２は、電源供給を停止する。
【００４２】
つまり、電源制御回路１８０２は、ＦＥＴ、トランジスタ、リレーのうち少なくとも１つで構成されていることが好ましい。
【符号の説明】
【００４３】
１００      画像形成装置
１０５      コントローラ制御手段
１１０      制御手段
１２０      ＲＡＭ
１３０      ＲＯＭ
１４０      外部記憶装置Ｉ／Ｆ手段
１５０      記憶手段
１６０      エンジンＩ／Ｆ手段
１７０      ユーザＩ／Ｆ手段
１８０      エンジン制御手段
２００      処理手段
２２０      操作手段
３０２      供給手段
３１０      第１処理手段
３２０      第２処理手段
１１０２    供給制御手段
１１０４    カウンタ
１１０６    算出手段
１１０８    測定手段
【先行技術文献】
【特許文献】
【００４４】
【特許文献１】特開２００８−３０７７３３号公報
【図１】
2013061719.tif 000003
【図２】
2013061719.tif 000004
【図３】
2013061719.tif 000005
【図４】
2013061719.tif 000006
【図５】
2013061719.tif 000007
【図６】
2013061719.tif 000008
【図７】
2013061719.tif 000009
【図８】
2013061719.tif 000010
【図９】
2013061719.tif 000011
【図１０】
2013061719.tif 000012